(57)【要約】      （修正有）【課題】開口部下方に形成される空間部の有効利用が可能であり、簡単な構成で安価に製造できる落下防止装置の提供。【解決手段】床面１に形成された開口部２を覆う安全ネット３と、この安全ネット３を上記の開口部２に対して略垂直な収納位置と、同じく開口部２に対して略平行でこの開口部２を覆う展開位置とを取り得るように、上記の安全ネット３の基端を回動可能に軸支する枠体と、上記の枠体５と安全ネット３との間に配置された駆動部材７とを備えた落下防止装置であって、上記の駆動部材７を、基端が枠体５に回動可能に支持されると共に、ピストンロッド８が上記開口部２と略平行方向に伸縮するように配置されたシリンダ９と、先端が上記の安全ネット３に回動可能に連結された腕部材１１と、これらピストンロッド８および腕部間１１に連結された二等辺三角形状をなす三角ブラケット１２とから構成する。【選択図】図１
2010252939.tif 000002
【特許請求の範囲】
【請求項１】
床面に形成された開口部を覆う安全ネットと、この安全ネットを上記の開口部に対して略垂直な収納位置と、同じく開口部に対して略平行でこの開口部を覆う展開位置とを取り得るように、上記の安全ネットの基端を回動可能に軸支する枠体と、上記の枠体と安全ネットとの間に配置された駆動部材とを備えた落下防止装置であって、上記の駆動部材を、基端が枠体に回動可能に支持されると共に、ピストンロッドが上記の開口部と略平行方向に伸縮するように配置されたシリンダと、先端が上記の安全ネットに回動可能に連結された腕部材と、これらピストンロッドおよび腕部材間に連結された略二等辺三角形状をなす三角ブラケットとから構成し、この三角ブラケットの一方の底角部を力点として上記シリンダのピストンロッドに回動可能に連結し、他方の底角部を作用点として上記の腕部材の基端に回動可能に連結すると共に、頂角部を支点として上記の枠体に設けた支持部に回動可能に連結したことを特徴とする落下防止装置。
【請求項２】
上記シリンダがボールネジを用いた電動シリンダとされてなる請求項１記載の落下防止装置。
【請求項３】
上記の枠体が床面の下方に設けた梁に取付けられる上部フレームと、上部フレームの基端側から下方に突出する取付けフレームと、上部フレームから取付けフレームに連結された補強フレームとから構成され、上部フレームの先端に上記の安全ネットの基端が回動可能に軸支されると共に、この安全ネットと近接した上部フレームに上記支持部が設けられ、さらに、取付けフレームに上記のシリンダの基端が回動可能に支持されてなる請求項１記載の落下防止装置。
【請求項４】
上記の上部フレームには、上記の開口部に向かって上昇する可動床上におけるはみ出し部分の有無を検出する検出センサを設けた検出部材が取付けられてなる請求項１記載の落下防止装置。
【発明の詳細な説明】
【技術分野】
【０００１】
この発明は、落下防止装置に関し、特に、舞台装置としての迫りに用いられる落下防止装置の改良に関する。
【背景技術】
【０００２】
劇場等では、舞台や花道の床面の一部を上下動する床面、すなわち、迫りに設定し、舞台の下方の奈落からこの迫りに立ち入った演者が舞台や花道に現われる演出が行われることがある。
【０００３】
ところで、このような迫りが奈落に下り、したがって、舞台や花道の床面に開口部が形成されるときには、奈落への人や物の落下を防止する必要があり、このため、従来から、この開口部の下方に落下防止装置が設けられている。
【０００４】
このような落下防止装置としては、たとえば、跳ね上げ式のものがあり、この跳ね上げ式のものは、長方形の鋼製フレームの間に安全ネットを張った一対の扉を、開口部の下方に観音開きに設置した構造のものであり、迫りが下がっているときには、開口部に向かって扉が閉じられることにより、開口部を安全ネットで塞ぐようになっている。
【先行技術文献】
【特許文献】
【０００５】
【特許文献１】特開平９‐２５３３４５号公報（明細書中の段落０００１〜０００５参照）
【発明の概要】
【発明が解決しようとする課題】
【０００６】
このように構成された落下防止装置においては、特に問題がある訳ではないが、以下に示す課題が発生する場合がある。
【０００７】
すなわち、上記した跳ね上げ式の落下防止装置は、安全ネットを張った扉を一対の観音開き構造として開口部の下方に設置することで、これらの扉の開口部下方への突出を防止し、奈落内の空間部の有効利用を図っている。
【０００８】
しかしながら、この場合には、上記一対の扉を開閉駆動させる装置が各扉に対して必要となるため、これらの駆動機構はできるだけ簡単な構成で、しかも安価に製造可能であることが望ましい。
【０００９】
そこで、この発明の目的は、開口部下方に形成される空間部、たとえば、奈落内の有効利用が可能であることは勿論、簡単な構成で安価に製造できる落下防止装置を提供することである。
【課題を解決するための手段】
【００１０】
上記の目的を達成するため、この発明による落下防止装置の構成を、基本的には、床面に形成された開口部を覆う安全ネットと、この安全ネットを上記の開口部に対して略垂直な収納位置と同じく開口部に対して略平行でこの開口部を覆う展開位置とを取り得るように上記の安全ネットの基端を回動可能に軸支する枠体と、この枠体と安全ネットとの間に配置された駆動部材とを備えた落下防止装置であって、上記の駆動部材を基端が上記の枠体に回動可能に支持されると共にピストンロッドが上記の開口部と略平行方向に伸縮するように配置されたシリンダと、先端が上記の安全ネットに回動可能に連結された腕部材と、上記のピストンロッドおよび腕部材間に連結された二等辺三角形状をなす三角ブラケットとから構成し、この三角ブラケットの一方の底角部を力点として上記のシリンダにおけるピストンロッドに回動可能に連結し、他方の底角部を作用点として上記の腕部材の基端に回動可能に連結すると共に、頂角部を支点として上記の枠体に設けた支持部に回動可能に連結してなるとする。
【発明の効果】
【００１１】
この発明によれば、枠体に対して回動可能に軸支された安全ネットを電動シリンダ，三角ブラケットおよび腕部材と言う簡単な構成で収納位置と展開位置とを取り得るように回動可能としたため、安価なコストで製造可能となる。
【００１２】
また、上記のシリンダをそのピストンロッドが上記の開口部と並行に伸縮するように上記の枠体に対して水平状態に配置したので、シリンダの上記の開口部下方への突出を最小限に留めることができ、開口部下方に形成される空間部の有効利用を図れる。
【００１３】
したがって、上記の空間部の有効利用が可能となるばかりでなく、簡単な構成で安価に製造できる落下防止装置を提供できる。
【図面の簡単な説明】
【００１４】
【図１】この発明の落下防止装置を舞台装置としての迫り具体化した実施形態を示し、一対の観音開き構造における片側の安全ネットが収納位置にある状態を示す側面図である。
【図２】図１において安全ネットが展開位置にある状態を示す側面図である。
【図３】図１における要部正面図である。
【発明を実施するための形態】
【００１５】
以下に、図示した実施形態に基づいて、この発明を説明するが、図示するところでは、この発明の落下防止装置が舞台装置たる迫りに具体化されてなる。
【００１６】
この落下防止装置は、一対の観音開き構造として迫りの開口部の下方に配置されており、図１〜図３においては片側のみを図示するが、床面１に形成された開口部２を覆う安全ネット３と、この安全ネット３を上記の開口部２に対して略垂直な収納位置と、同じく開口部２に対して略平行でこの開口部２を覆う展開位置とを取り得るように、上記の安全ネット３の基端を回動可能に軸支する枠体５と、上記の枠体５と安全ネット３との間に配置された駆動部材７とを備えてなる。
【００１７】
そして、この落下防止装置にあっては、上記の駆動部材７を基端が枠体５に回動可能に支持されると共にピストンロッド８が上記の開口部２と略平行方向に伸縮するように配置されたシリンダと、先端が上記の安全ネット３に回動可能に連結された腕部材１１と、上記のピストンロッド８および腕部材１１間に連結された略二等辺三角形状をなす三角ブラケット１２とから構成し、この三角ブラケット１２の一方の底角部１２ａを力点として上記のシリンダにおけるピストンロッドに回動可能に連結し、他方の底角部１２ｂを作用点として上記の腕部材１１の基端に回動可能に連結すると共に、頂角部１２ｃを支点として上記の枠体５に設けた支持部５ａに回動可能に連結している。
【００１８】
以下、さらに詳述すると、上記の床面１は、木製の大引き１ａと、この大引き１ａの上に配置された同じく木製の根太１ｂと、この根太１ｂの上面に配置された複数枚の床板１ｃとによって構成されると共に、これら床面１は、コンクリート製の梁４の上に同じくコンクリート製の支持部材４ｂを介して配置されている。
【００１９】
そして、上記の大引き１ａ，根太１ｂおよび床板１ｃの先端（図１および図２における右側を言う）に配置した枠部材２ａによって上記の開口部２が形成されると共に、枠部材２ａの下端には目隠し用の幕板２ｂが取付けられている。
【００２０】
上記の枠体５は、上記の梁４に連結部材１３を介して取付けられる上部フレーム１４と、上部フレーム１４の基端側（図１および図２における左側を言う）から下方に突出する取付けフレーム１５と、上部フレーム１４から取付けフレーム１５に連結された補強フレーム１６とから構成されており、上記の連結部材１３は、梁４の先端側となる上記の開口部２側下面に接着系アンカー１７を用いて固定されている。
【００２１】
また、梁４における基端側下面には下方へ突出する取付部４ｃが設けられており、この取付部４ｃを挟むように上記取付フレーム１５が取付けられている。
【００２２】
取付けフレーム１５は、上記の補強フレーム１６が接合された先端側フレーム１５ａと、取付部４ｃを挟んだ反対側に配置された基端側フレーム１５ｂと、これら先端側および基端側フレーム１５ａ，１５ｂの下端において連結された下部フレーム１５ｃとから構成されている。
【００２３】
そして、先端側フレーム１５ａおよび基端側フレーム１５ｂは、上記の付部４ｃの側面に対しては取付板１８を介して上記接着系アンカー１７を用いて固定され、取付部４ｃの下面に対しては上記の取付板１８に連結されたフランジ部材１８ａを介して上記の接着系アンカー１７を用いて固定されている。
【００２４】
上部フレーム１４の先端には軸受け部材２０がボルトおよびナット（符示せず）を用いて固定されており、この軸受け部材２０に対して上記の安全ネット３の基端が回動可能に軸支されている。
【００２５】
安全ネット３は、図示はしないが、ハシゴ状をなす金属製の枠部材に金網を取付けることによって形成され、人等が落下しても安全に受け止められるようになっている。
【００２６】
また、安全ネット３の裏面（図１および図２における左側を言う）にはネット用軸受け部材２１が設けられ、このネット用軸受け部材２１には上記の腕部材１１の先端（図１および図２における右側を言う）が回動可能に連結されている。
【００２７】
上記の軸受け部材２０と隣接する上部フレーム１４の下面には上記の支持部５ａがボルトおよびナット（符示せず）を用いて固定されており、この支持部５ａに対して上記三角ブラケット１２の頂角部１２ｃが支点として回動可能に連結されている。
【００２８】
上記の支持部５ａと隣接する上部フレーム１４の下面には先端に検出センサとしての光電管２２が取付けられた検出部材２３が下方に向かって延設されており、上記の開口部２に向かって上昇する迫り上におけるはみ出し部分の有無を検出するようになっている。
【００２９】
上記の下部フレーム１５ｃには、図示しない電動モータの回転駆動が伝達されることでピストンロッド８が伸縮するシリンダとしてのボールネジタイプの電動シリンダ９の基端が、回動可能に取付けられると共に、そのピストンロッド８が上記の開口部２と略並行方向へ伸縮するように略水平状態に配置されている。
【００３０】
なお、図示する実施の形態では、複数の電動シリンダ９を一個の電動モータで駆動するよう構成されており、各電動シリンダ９を用いて安全ネット３の展開位置と収納位置と設定するための回転数検出機２８が連結ベルト２９により連結されている。
【００３１】
上記の腕部材１１の基端（図１および図２における左側を言う）には上記の三角ブラケット１２の他方の底角部（図１、２における右側を言う）１２ｂが力点として回動可能に軸支されており、上記の電動シリンダ９のピストンロッド８先端にはこの三角ブラケット１２の一方の底角部１２ａが力点として回動可能に軸支されている。
【００３２】
したがって、上記の電動シリンダ９のピストンロッド８を伸長させることで、図２に示すように、三角ブラケット１２を上方へ回動させると共に、その他方の底角部１２ｂに連結された腕部材１１を介して上記の安全ネット３を上記の開口部２と略並行となってこの開口部２を覆う展開位置へ回動させ、また、この状態からピストンロッド８を収縮させることで、図１に示すように、三角ブラケット１２を下方へ回動させると共に、その他方の底角部１２ｂに連結された腕部材１１を介して上記の安全ネット３を上記の開口部２と略垂直となる収納位置へ回動させるようになっている。
【００３３】
図３に示すように、上記の一対の安全ネット３が配置された開口部２の側面側と隣合う側面には、基端が第２の梁２６に上記の接着系アンカー１７を用いて固定された取付部材２４が上記の開口部２と略並行に延設されると共に、この取付部材２４の先端には開口部２と垂直方向に延設される固定フェンス２５が取付けられており、この部分から人や物が落下しないようになっている。
【００３４】
上記のように構成されたこの実施形態の落下防止装置の作用を説明すると、床面１に形成された上記の開口部２は、図示しない迫りが上昇してくると、この開口部２が塞がれるようになっており、この場合には、図１に示すように、上記の安全ネット３は、開口部２に対して略垂直な収納位置にある。
【００３５】
その後、迫りが奈落の下方に下降し、その状態を維持している場合には、上記の電動モータを駆動させて電動シリンダ９を伸長させる。
【００３６】
すると、電動シリンダ９のピストンロッド８の伸長動作によって、図２に示すように、三角ブラケット１２が上記の頂角部１２ｃを支点として上方へ回動すると共に、その他方の底角部１２ｂに連結された腕部材１１を押し上げることで、上記の安全ネット３を上記開口部２と略並行でこの開口部２を覆う展開位置へ回動する。
【００３７】
したがって、この状態では、上記した一対の安全ネット３と、上記の固定フェンス２５とで開口部２の四方が囲まれるので、人や物が落下してもこれらによって安全且つ確実に保持される。
【００３８】
その後、上記の電動モータを駆動させて電動シリンダ９を収縮させると、電動シリンダ９のピストンロッド８の収縮動作によって、図１に示すように、三角ブラケット１２が上記の頂角部１２ｃを支点として下方へ回動すると共に、その他方の底角部１２ｂに連結された腕部材１１を引き込むことで、上記の安全ネット３を上記の開口部２と略垂直となる収納位置へ回動する。
【００３９】
以上、詳述したように、この実施形態の落下防止装置によれば、枠体５に対して回動可能に軸支された安全ネット３を、電動シリンダ９，三角ブラケット１２および腕部材１１と言う簡単な構成で収納位置と展開位置とを取り得るように回動可能としたため、安価なコストで製造可能となる。
【００４０】
また、上記した構成を床面１の下方に設けた梁４に取付けられる上部フレーム１４と、上部フレーム１４の基端側から下方に突出する取付けフレーム１５と、上部フレーム１４から取付けフレーム１５に連結された補強フレーム１６とから構成される枠体５に設けてユニット化したので、上記梁４に対する組付け性の向上やコンパクト化が可能となる。
【００４１】
また、上記の電動シリンダ９をそのピストンロッド８が上記の開口部２と並行に伸縮するように上記の枠体５内に対して水平状態に配置したので、電動シリンダ９の上記の開口部２下方への突出を最小限に留めることができ、奈落内の空間部の有効利用を図れる。
【００４２】
また、複数の電動シリンダ９を一個の電動モータで駆動するよう構成すると共に、上記の回転数検出器２８で各電動シリンダ９を用いて安全ネット３の展開位置と収納位置と設定を行っているので、部品点数を減らして安価に製造可能となるばかりでなく、安全ネット３の回動動作を正確に行える。
【００４３】
なお、この実施形態では、安全ネット３が一対の観音開き構造として迫りの開口部２の下方に配置されているが、必ずしも観音開き構造とする必要はなく、一方側から安全ネット３が開口部２を覆うように回動する構成としても良いことはもちろんである。
【００４４】
また、この実施形態では、シリンダとして電動シリンダ９を用いたが、これに限定されるものではなく、油圧シリンダを用いても良いことはもちろんである。
【産業上の利用可能性】
【００４５】
舞台装置たる迫りへの利用に向く。
【符号の説明】
【００４６】
１  床面
２  開口部
３  安全ネット
５  枠体
５ａ  指示部
７  駆動部材
８  ピストンロッド
９  シリンダ
１１  腕部材
１２  三角ブラケット
１２ａ  一方の底角部
１２ｂ  他方の底角部
１２ｃ  頂角部
１４  上部フレーム
１５  下部フレーム
１６  補強フレーム
２２  光電管（検出センサ）
２３  検出部材
【図１】
2010252939.tif 000003
【図２】
2010252939.tif 000004
【図３】
2010252939.tif 000005